(57)【特許請求の範囲】
【請求項１】
撮影機構及びストロボ装置を有する本体基部を外装体で覆い、前記ストロボ装置はメインコンデンサの金属ケースの少なくとも端面の一部が剥き出しにされているレンズ付きフイルムユニットにおいて、
前記外装体と前記端面との間に隙間を設け、前記外装体を前カバーと後カバーとを合わせて構成し、前記端面を回避するように、前記前カバーと後カバーとの合わせ目を形成することを特徴とするレンズ付きフイルムユニット。
【発明の詳細な説明】
【０００１】
【発明の属する技術分野】
本発明は、ストロボ装置を内蔵したレンズ付きフイルムユニットに関するものである。
【０００２】
【従来の技術】
簡単な撮影機構を内蔵したユニット本体に、予め未露光の写真フイルムを装填したレンズ付きフイルムユニットが本出願人により製造・販売されている。このレンズ付きフイルムユニットには各種のタイプがあり、ストロボ装置が内蔵され、室内や夜間での撮影ができるようにしたものもある。
【０００３】
【発明が解決しようとする課題】
このようなストロボ装置を内蔵したレンズ付きフイルムユニットにおいて、フイルムユニットを誤って海水に落下させた場合、導電性液体である海水がフイルムユニット内部に侵入してしまう。この場合に、ストロボ装置のメインコンデンサが充電された状態であると、これを手に取るとメインコンデンサに蓄えられた電流が海水や手等を伝って洩れることがある。したがって、手を介して電流が洩れると持った者に電気的衝撃を与えてしまうという問題がある。
【０００４】
本発明は上記課題を解決するためのものであり、誤って海水等の導電性の液体がフイルムユニット内に浸透した場合でも持った者に電気的衝撃を与えることがないようにしたレンズ付きフイルムユニットを提供することを目的とする。
【０００５】
【課題を解決するための手段】
上記目的を達成するために、本発明のレンズ付きフイルムユニットは、撮影機構及びストロボ装置を有する本体基部を外装体で覆い、前記ストロボ装置はメインコンデンサの金属ケースの少なくとも端面の一部が剥き出しにされているレンズ付きフイルムユニットであって、前記外装体と前記端面との間に隙間を設け、前記外装体を前カバーと後カバーとを合わせて構成し、前記端面を回避するように、前記前カバーと後カバーとの合わせ目を形成することを特徴とする。
【０００６】
【発明の実施の形態】
図２に示すように、フイルムユニット１０は、撮影レンズ１３、巻上げノブ１４、ファインダー光学系１５、ストロボ発光部１６、ストロボ充電開始操作部材１７、撮影枚数表示窓１９、充電完了表示窓２０、及びシャッタボタン２１等が露呈して構成されている。また、フイルムユニット１０の撮影レンズ１３に対面して、前面左側には、前方に膨らんだグリップ部２２が形成されている。そして、グリップ部２２の底面に、底蓋２３が配置されている。この底蓋２３は、撮影済みの写真フイルムを収納したカートリッジを取り出すときに開けられる。
【０００７】
フイルムユニット１０の外装体は、図３に示すように、前カバー２５と後カバー２６とで構成されている。これらのカバー２５，２６は、露光ユニット２７、ストロボユニット２８、写真フイルムカートリッジ２９、及び、本体基部３０を撮影光軸１３ａに沿った前後からサンドイッチ構造で覆う。
【０００８】
図２に示すように、これら前カバー２５と後カバー２６とは、合わせ目２４が該フイルムユニット１０の上面、左右側面、及び底面にわたっており、爪結合によって相互が着脱自在に取り付けられる。
【０００９】
図３に示すように、露光ユニット２７は、撮影レンズ１３、シャッタ機構、フイルム巻き止め機構、フイルムカウンター機構、及びファインダー光学系１５等を一体的に組み込んだユニット部品である。この露光ユニット２７は、フック係止による爪結合により本体基部３０の前面中央に着脱自在に取り付けられる。
【００１０】
前カバ−２５の前面には、撮影レンズ１３，ファインダー光学系１５のファインダー対物レンズ，及びストロボ発光部１６等を露出させる露出孔３１，３２，３３が設けられている。前カバ−２５の上面には、シャッタ機構を動作させるシャッタボタン２１が一体に設けられている。
【００１１】
写真フイルムカートリッジ２９は、ＩＸ２４０フイルムカートリッジに対応したものが用いられる。なお、１３５タイプの写真フイルムカートリッジを用いてもよい。写真フイルムカートリッジ２９は、写真フイルム３４と、この写真フイルム３４を巻き付けるスプール３５、及びこのスプール３５を回動自在に収納するカートリッジ３６とから構成されている。
【００１２】
本体基部３０の中央には、露光開口３７が形成され、その両側には、カートリッジ室３８とフイルムロール室３９とが形成されている。そして、カートリッジ室３８にはカートリッジ３６が収納され、フイルムロール室３９には、カートリッジ３６から引き出した写真フイルム３４をロール状に丸めたフイルムロール３４ａが収納される。これらの室３８，３９は、背面及び底が開口されており、背面が後カバー２６で、底が後カバー２６に開閉自在に取り付けた底蓋２３，４０でそれぞれ光密に塞がれる。
【００１３】
カートリッジ室３８の上部には、巻き上げノブ１４が設けられている。巻き上げノブ１４は、スプール３５に係合し、これをフイルム巻き上げ方向（同図に示す矢印方向）に回転させて、撮影済みの写真フイルム３４をカートリッジ３６の内部に巻き込むフイルム巻き上げ機構を構成している。
【００１４】
後カバー２６には、ファインダー接眼窓４１と、充電完了表示窓２０とが設けられている。また、後カバー２６の上部端には巻き上げノブ１４の周縁の一部を外部に露呈するための開口４２が形成されている。
【００１５】
ストロボユニット２８は、回路基板５０に、メインコンデンサ５１、電源電池５２、シンクロスイッチ５３、及びストロボ発光部１６等を一体的に取り付けてストロボ回路を構成したユニット部品であり、シャッタ機構の作動に連動してストロボ発光部１６からストロボ光を被写体に向けて照射する。このストロボユニット２８は、本体基部３０に設けた位置決め手段により本体基部３０のフイルムロール室３９の側に位置決めされ、本体基部３０に設けたフック係止による爪部材により爪結合により保持される。
【００１６】
メインコンデンサ５１はアルミ電解コンデンサから構成されている。このアルミ電解コンデンサは、含浸済み素子の電解液が蒸発あるいは吸湿等により特性が劣化してしまうことを防止するために、有底円筒状のアルミケース５１ａで封入されゴムパッキン等で密封されている。そして、アルミケース５１ａの周面には極性等の表示を行うための絶縁用ビニールスリーブ５１ｂが被せてある。このビニールスリーブ５１ｂによっても、防爆弁が配置されるアルミケース５１ａの端面（接続用足とは反対側の端面）１７ａの全面が覆われることはなく、周面近くの縁部のみが覆われ、残りの大部分はアルミケース５１ａがむき出し状態になっている。このアルミケース５１ａのむき出し部分は電解液により陰極となっている。
【００１７】
ところで、コンパクト化の要請から、前カバー２５及び後カバー２６からなる外装体と、本体基部３０や撮影ユニット２７、ストロボユニット２８などの各種構成部分とで構成される隙間が極力小さくされている。したがって、誤ってフイルムユニットを海水等に落としてしまうと、内部に侵入した海水が前記メインコンデンサと外装体との間の隙間等に溜まってしまう。そして、この海水等が毛細管現象により前カバー２５と後カバー２６との間の合わせ目２４の隙間にしみ出てくる。
【００１８】
したがって、図４に示すように、このしみ出た海水５６，５７に手５８が触れることにより、メインコンデンサ５１のアルミケース（高圧電流配線部分５５）と電池マイナス側とが、海水５６，５７及び手５８を介して接続されることになり、メインコンデンサ５１に充電された電流が手に流れて、フイルムユニットを素手で持った者に電気的衝撃を与えてしまうことがある。
【００１９】
図４は、ストロボユニット２８の電気回路を概略的に示すものである。昇圧回路６０には、充電スイッチ６１が接続されている。この昇圧回路６０は、充電スイッチ６１がオンになると電池５２を電源として作動し、電池５２の低電圧を高電圧、例えば３００Ｖに昇圧して、この高電圧でメインコンデンサ５１を充電する。また、メインコンデンサ５１の充電とともにトリガコンデンサ６２が充電される。昇圧回路６０は、メインコンデンサ５１が規定充電電圧まで充電されると、作動を停止して充電を停止する。ネオン管６９は、メインコンデンサ５１が規定充電電圧まで充電された時に点灯する。このネオン管６９の光は、ライトガイドによってファインダ１４内に導光される。これにより、ストロボ発光の準備ができたことをファインダ１４内で確認することができる。
【００２０】
トリガコンデンサ６２は、シンクロスイッチ５３がオンになると放電し、その放電電流をトリガコイル６３の一次コイル６３ａに流す。トリガコイル６３は、一次コイル６３ａと二次コイル６３ｂとの巻き線比を非常に大きくしたものであり、一次コイル６３ａにトリガコンデンサ６２からの放電電流が流れると、二次コイル６３ｂに例えば４ｋＶのトリガ電圧を発生する。この二次コイル６３ｂは、一端がシンクロスイッチ５３を介してグランドされており、他端がトリガ電圧を出力するトリガ出力端子６４となっている。トリガ出力端子６４からのトリガ電圧は、トリガ端子６５と、ストロボ発光部１６のリフレクタとを介してストロボ放電管６６に印加される。
【００２１】
このため、図１に示すように、前カバー２５と後カバー２６との合わせ目２４において、メインコンデンサ５１のアルミケース５１ａの端面５１ｄが接近する部分には、後カバー２６側に回避突起７０が突出して形成してあり、前カバー２５側にはこれに対応するように回避凹部７１が形成してある。回避突起７０は、合わせ目２４がアルミケース５１ａの端面５１ｄに接近することのないように、アルミケース５１ａの外径よりも大きな直径を有する円弧で形成してある。本実施形態では、メインコンデンサ５１は後カバー２６側に偏心して配置されており、後カバー２６の方が前カバー２５よりもメインコンデンサ５１の端面５１ｄを覆う面積が大きいため、後カバー２６側に回避突起７０を形成し、前カバー２５側に円弧状の回避凹部７１を形成している。
【００２２】
これら回避突起７０及び回避凹部７１により、侵入した海水が毛細管現象によって前カバー２５と後カバー２６との合わせ目２４にしみ出てきても、この合わせ目２４はメインコンデンサ５１のアルミケース５１ａの端面５１ｄから離されているので、メインコンデンサ５１のアルミケース５１ａと海水とが接触することはなく、海水を介しての電気的衝撃を回避することができる。
【００２３】
なお、上記実施形態では、後カバー２６を円弧状に突出させて回避突起７０を形成しているが、これに代えて、前カバー２５側に回避突起７０を形成し、後カバー２６側に回避凹部７１を形成してもよい。また、回避突起７０，回避凹部７１は円弧状に形成したが、この他に楕円状や多角形状、矩形状、三角状に形成してもよい。
【００２４】
また、上記実施形態では、メインコンデンサ５１のアルミケース５１ａの端面５１ｄと前カバー２５及び後カバー２６との合わせ目２４とを離すことで、海水等の導電性液体を介した電気的衝撃を回避させているが、この他に、図５に示すように、ストロボ放電管６６に電流を流す導通金属接片７３を回避するように、前カバー７５と後カバー７６との合わせ目７７を導通金属接片７３から離してもよい。この導通金属接片７３は、図１に示すように、リフレクタケース６８の上端角部に沿ってストロボ放電管６６の軸方向に配置されている。
【００２５】
また、ストロボ放電管にトリガ電圧を印加する導通金属接片８０（図１参照）が、前カバーと後カバーとの合わせ目に位置する場合にも、この導通金属接片８０から離すように回避させて、前カバーと後カバーとの合わせ目を形成することで、同様にして、海水等を介しての電気的衝撃を回避することができる。
【００２６】
なお、これらメインコンデンサ５１の端面５１ｄ、導通金属接片７３，８０等の高圧電流配線部分５５に対する合わせ目２４の回避対策は、１つのレンズ付きフイルムユニットに対して全て行ってもよく、又はこれらの対策を選択的に行ってもよい。
【００２７】
【発明の効果】
本発明によれば、ストロボ装置の高圧電流配線部分と、外装体の隙間とを離して設けたから、誤って海水等にフイルムユニットを落下させた場合でも、ストロボ装置の高圧電流配線部分と外装体の隙間とが離して設けられるので、メインコンデンサに充電された電流が海水等の導電性液体を介して素手に流れることがなく、電気的衝撃を無くすことができる。
【００２８】
また、高圧電流配線部分をメインコンデンサのアルミケースとし、このアルミケースの端面を回避するように前カバーと後カバーとの合わせ目を形成することで、侵入した導電性液による通電によって電気的衝撃を受けることがなくなる。同様にして、ストロボ放電管に電流を流す導通金属接片を回避するように、又はストロボ放電管にトリガ電圧を印加する導通金属接片を回避するように、前カバーと後カバーとの合わせ目を形成することにより、侵入した導電性液による通電によって電気的衝撃を受けることがなくなる。
【図面の簡単な説明】
【図１】本発明のレンズ付きフイルムユニットの要部を示す斜視図である。
【図２】レンズ付きフイルムユニットの外観を示す斜視図である。
【図３】レンズ付きフイルムユニットを分割して示す斜視図である。
【図４】侵入した海水を介して手に電流が流れる状態を示すストロボユニットの電気回路図である。
【図５】ストロボ放電管に電流を流す導通金属接片と、前カバー及び後カバーの合わせ目との位置関係を示す要部断面図である。
【符号の説明】
１０  レンズ付きフイルムユニット
２４，７７  合わせ目
２５，７５  前カバー
２６，７６  後カバー
２７  露光ユニット
２８  ストロボユニット
３０  本体基部
５１  メインコンデンサ
５１ａ  アルミケース
５１ｄ  端面
５５  高圧電流配線部分
５６，５７  海水
５８  手
７０  回避突起
７１  回避凹部
７３，８０  導通金属接片
【図１】
0003751137.tif 000002
【図２】
0003751137.tif 000003
【図３】
0003751137.tif 000004
【図４】
0003751137.tif 000005
【図５】
0003751137.tif 000006